(57)【要約】【課題】郵便物の受け取りに加えて外部の人間との接触のために居住者が屋外へ出る必要がないうえに、郵便物に過度な負荷をかけない郵便物移動装置を提供する。【解決手段】郵便物移動装置１は、屋外に設置された郵便物受容体８の内部に形成された通路、郵便物受容体８の内部通路と連通すると共に地中に埋設されたダクト１５、そしてダクトと連通すると共に家屋の壁１７に沿って屋内に設置された取出しボックス１６の内部通路をそれぞれ通って移動する、箱型の郵便物収容体２と、郵便物収容体を移動させるモータ１１と、郵便物収容体及びモータに取り付けられた２本のワイヤー１２と、郵便物受容体８に形成された郵便物受け口９と受取り口９Ａ、並びに取出しボックス１６に形成された取出し口１０に郵便物収容体２を押し当てる押圧部材１４とを備えている。【選択図】図１
2007209697.tif 000002
【特許請求の範囲】
【請求項１】
郵便物を収容する郵便物収容体と、
一方の停止位置と他方の停止位置との間で前記郵便物収容体を移動させる移動手段とを備える
郵便物移動装置。
【請求項２】
前記郵便物収容体の略同一面上に第１の開口部と第２の開口部とが形成されていると共に、前記郵便物収容体が前記第１の開口部に通じた第１の収容領域と前記第２の開口部に通じた第２の収容領域とに区分けされており、
一方の停止位置に前記郵便物収容体が位置する場合に、前記第１の収容領域内に収容された郵便物を支持する面と第１の開口部との間の距離が、同面に対向する面と第１の開口部との間の距離よりも長いと共に所定の長さよりも長く、
前記移動手段が、前記一方の停止位置に前記郵便物収容体が位置する場合と前記他方の停止位置に前記郵便物収容体が位置する場合とで、前記郵便物収容体の上下が逆転するよう前記郵便物収容体を移動させる
請求項１に記載の郵便物移動装置。
【請求項３】
前記支持する面に対向する面と第１の開口部との間の距離が、所定の長さ以下である
請求項２に記載の郵便物移動装置。
【請求項４】
前記郵便物収容体が通る通路が形成されていると共に一方の停止位置において郵便物を受ける受け口が形成された郵便物受容体を備え、
該郵便物受容体が、前記郵便物収容体が一方の停止位置に位置する場合に前記受け口を開くと共に前記郵便物収容体が一方の停止位置から離れた場合に前記受け口を閉じる受け口カバーを備えている
請求項１〜３のいずれか１つに記載の郵便物移動装置。
【発明の詳細な説明】
【技術分野】
【０００１】
本発明は郵便物移動装置に関する。詳しくは、投函された郵便物を屋内にまで搬送し、郵便物を取りに行く手間を省く郵便物移動装置に係るものである。
【背景技術】
【０００２】
戸建て住宅やマンションの郵便受けはそれぞれ、塀や１階のマンション出入り口に設けられており、投函された郵便物を屋内に運ぶため、居住者は、わざわざ屋外やマンション出入り口まで出て行く手間が必要である。
【０００３】
そこで、このような手間を省くべく、様々な技術が提案されており、例えば特許文献１には、住宅の外構塀１０６に設けられた郵便受け１０１と、住宅の屋内に設けられた搬送出口１０２と、郵便物が投函されたことを検知する投函センサ１０３と、投函された郵便物を搬送出口１０２へ移送する搬送機構１０４と、操作パネル１０５とを備えた郵便物搬送装置１００が記載されている。ここで、搬送機構１０４は、郵便受け１０１から搬送出口１０２まで郵便物を移送する送りベルト１０７と、郵便物を挟持するための押えベルト１０８とを備えており、送りベルト１０７は複数の回転ローラ１０９に掛架され、郵便受け１０１の底部から外構塀１０６の内側に沿って降下し、敷地の地中を通って建物の外壁に到達し、建物の外壁に沿って上昇し、搬送出口１０２に至っている。また、回転ローラ１０９は電動モータ１１０と連結されており、送りベルト１０７及び押えベルト１０８が通過する敷地の地中部分は、化粧蓋１１１により封止されている。このような構成により、居住者は郵便物の受け取りのために屋外へ出る必要がなく便利である。図３に従来の郵便物搬送装置の概略図を示す。
【０００４】
【特許文献１】特開２００３−２１０３１０号公報
【発明の開示】
【発明が解決しようとする課題】
【０００５】
しかしながら、従来の郵便物搬送装置は、郵便物を送りベルトと押さえベルトによって挟んだ状態で搬送するので、電気やガスの検針票、小さい紙片の連絡メモ等ハガキよりも薄くて小さい物が投函された場合に、ベルトから落下する可能性がある。また、ベルトは郵便受けの底部から外構塀の内側に沿って降下し、敷地の地中を通って建物の外壁に到達し、建物の外壁に沿って上昇しているので、地中を通る前後においてベルトは大きく曲がることになり、このような曲げによって郵便物が変形若しくは破損する可能性があった。更に、従来の郵便物搬送装置の搬送機構は、屋外の郵便受けに投函された郵便物を屋内の搬送出口へ搬送するものであると共にベルト同士で物を挟んで搬送するので、金銭がベルトから落下する可能性があり、新聞代等の集金人に対する支払いや、書留及び宅配便受領時のサインを行なう場合には、居住者は依然として屋外に出なくてはならなかった。
【０００６】
本発明は、以上の点に鑑みて創案されたものであり、郵便物の受け取りに加えて外部の人間との接触のために居住者が屋外へ出る必要がないうえに、郵便物に過度な負荷をかけない郵便物移動装置を提供することを目的とする。
【課題を解決するための手段】
【０００７】
上記の目的を達成するために、本発明の郵便物移動装置は、郵便物を収容する郵便物収容体と、一方の停止位置と他方の停止位置との間で前記郵便物収容体を移動させる移動手段とを備える。
【０００８】
ここで、郵便物収容体によって郵便物を収容するので、郵便物に直接外力が加わりにくくなる。また、移動手段によって、一方の停止位置例えば屋外と他方の停止位置例えば屋内との間で郵便物収容体を自由に往復させることができる。なお、本発明でいう「郵便物」とは、郵便局職員によって配達される物だけでなく、新聞等郵便受けに通常投函される物も含まれるものとする。
【０００９】
また、本発明において、郵便物収容体の略同一面上に第１の開口部と第２の開口部とが形成されていると共に、郵便物収容体が第１の開口部に通じた第１の収容領域と第２の開口部に通じた第２の収容領域とに区分けされており、一方の停止位置に郵便物収容体が位置する場合に、第１の収容領域内に収容された郵便物を支持する面と第１の開口部との間の距離が、支持する面に対向する面と第１の開口部との間の距離よりも長いと共に所定の長さよりも長く、移動手段が、一方の停止位置に郵便物収容体が位置する場合と他方の停止位置に郵便物収容体が位置する場合とで、郵便物収容体の上下が逆転するよう郵便物収容体を移動させる場合、屋外において郵便物収容体に収容された郵便物を取出しにくく、第１の開口部からの郵便物抜き取りを抑制できると共に、屋内においては、支持する面に対向する面に郵便物が載置され、同じ開口部から郵便物を容易に取出すことができる。なお、本発明でいう「所定の長さ」とは、開口部から入れられた人間の指が郵便物に届く長さのことをいう。
また、本発明において、支持する面に対向する面と第１の開口部との間の距離が、所定の長さ以下である場合、第１の開口部から入れられた人間の指が郵便物に届くので容易に郵便物を取出すことができる。
【００１０】
また、本発明において、郵便物収容体が通る通路が形成されていると共に一方の停止位置において郵便物を受ける受け口が形成された郵便物受容体を備え、郵便物受容体が、郵便物収容体が一方の停止位置に位置する場合に受け口を開くと共に郵便物収容体が一方の停止位置から離れた場合に受け口を閉じる受け口カバーを備えている場合、例えば郵便物受容体を門柱代わりに使用し、その中に郵便物収容体を通して外観を損なわないようにすることができるうえに、郵便物収容体が他方の停止位置に位置しているときに郵便物が受け口に投函されそうになっても受け口カバーによって投函を防止し、郵便物を郵便物収容体に確実に収容できる。
【発明の効果】
【００１１】
本発明に係る郵便物移動装置は、郵便物の受け取りに加えて外部の人間との接触のために居住者が屋外へ出る必要がないうえに、郵便物に過度な負荷をかけないようにすることができる。
【発明を実施するための最良の形態】
【００１２】
以下、本発明の実施の形態について図面を参照しながら説明し、本発明の理解に供する。図１は、本発明を適用した郵便物移動装置の一例を示す概略図である。
図１において、本発明を適用した郵便物移動装置１は、屋外に設置された郵便物受容体８の内部に形成された通路、郵便物受容体８の内部通路と連通すると共に地中に埋設されたダクト１５、そしてダクトと連通すると共に家屋の壁１７に沿って屋内に設置された取出しボックス１６の内部通路をそれぞれ通って移動する、箱型の郵便物収容体２と、一方の停止位置にある郵便物受容体８内の端部及び他方の停止位置にある取出しボックス１６内の端部にそれぞれ設置された、郵便物収容体を移動させるモータ１１（移動手段の一例である。）と、郵便物収容体及びモータに取り付けられた２本のワイヤー１２と、郵便物受容体８の内部通路及び取出しボックス１６の内部通路に取り付けられていると共に、郵便物受容体８に形成された郵便物受け口９と受取り口９Ａ、並びに取出しボックス１６に形成された取出し口１０に郵便物収容体２を押し当てる押圧部材１４とを備えている。
【００１３】
また、郵便物収容体２は、投函されたハガキや新聞等の郵便物を収容する第１の収容領域５と、支払い代金やサイン済み伝票等を収容する第２の収容領域６の上下２段に区分けされている。また、郵便物収容体２には、第１の収容領域５に通じた第１の開口部３と、第２の収容領域６に通じた第２の開口部４とが略同一面上の上下に形成されている。更に、第１の収容領域に通じた第３の開口部７が、第１の開口部３が形成された面に対向する面に形成されている。そして、各開口部は、一端を軸に他端が回動可能な蓋１８で覆われている
また、郵便物収容体２が、一方の停止位置にある郵便物受容体８内に位置している場合、第１の収容領域５内に収容された郵便物を支持する支持部材２０の支持面と第１の開口部３との間の距離が、支持面に対向する面と第１の開口部３との間の距離よりも長く、そして開口部から入れられた人間の指が郵便物に届く長さよりも長くなっている。また、支持面に対向する面と第１の開口部３との間の距離は、開口部から入れられた人間の指が郵便物に届く長さ以下である。
【００１４】
更に、郵便物受容体８には、郵便局員、新聞配達員等が、ハガキや新聞等の郵便物を投函する郵便物受け口９と、屋内から送られてきた支払い代金やサイン済み伝票等を郵便局員や新聞配達員等が受取る受取り口９Ａとが、郵便物収容体２の第１の開口部３と第２の開口部４に対応するよう略同一面上の上下に形成されている。また、郵便物収容体２の第３の開口部７に対応するよう、投函された郵便物を取出すための取出し口１０が、郵便物受け口９や受取り口９Ａが形成された面に対向する面に形成されている。また、郵便物受け口９及び取出し口１０は、一端を軸に他端が回動可能な蓋１８で覆われている。また、郵便物受容体８内には、郵便物収容体２がモータ１１に衝突しないように郵便物収容体を止める収容体止め１３が取り付けられている。
【００１５】
また、取出しボックス１６には、郵便物収容体に収容された郵便物を取出すための取出し口１０が、郵便物収容体２の第１の開口部３と第２の開口部４に対応するよう略同一面上の上下に形成されている。また、郵便物収容体２が一方の停止位置に位置する場合と他方の停止位置に位置する場合とで郵便物収容体２の上下が逆転するので、郵便物収容体２が屋外の郵便物受容体８内に位置しているときは第１の開口部３が上段にあるが、郵便物収容体２が屋内の取出しボックス１６内に位置しているときは第１の開口部３は下段にある。
【００１６】
ここで、本発明を適用した郵便物移動装置が、郵便物を収容する郵便物収容体と、一方の停止位置と他方の停止位置との間で郵便物収容体を移動させる移動手段とを備えているのであれば、必ずしも郵便物受容体、ダクト及び取出しボックスを備えていなくてもよく、また、必ずしも開口部は蓋で覆われていなくてもよく、また、必ずしもモータを用いなくてもよく郵便物収容体を手動で移動させてもよい。また、一方の停止位置と他方の停止位置との間で郵便物収容体を移動させることができれば、必ずしも地中を通ってＵ字状に屋内と屋外の間を移動させなくてもよく、例えば地上で略水平に移動させてもよい。また、一方の停止位置と他方の停止位置との間で郵便物収容体を移動させることができれば、必ずしも郵便物収容体が一方の停止位置に位置する場合と他方の停止位置に位置する場合とで郵便物収容体の上下を逆転させなくてもよい。
【００１７】
また、本発明を適用した郵便物移動装置が、郵便物を収容する郵便物収容体と、一方の停止位置と他方の停止位置との間で郵便物収容体を移動させる移動手段とを備えているのであれば、必ずしも郵便物収容体は上下２段に区分けされていなくてもよく、例えば区分けされていない１つの領域が形成されていたり、左右に区分けされていたりしてもよい。
【００１８】
更に、本発明を適用した郵便物移動装置が、郵便物を収容する郵便物収容体と、一方の停止位置と他方の停止位置との間で郵便物収容体を移動させる移動手段とを備えているのであれば、必ずしも第３の開口部が郵便物収容体に形成されていなくてもよく、また、押圧部材や収容体止めを用いなくてもよい。
【００１９】
また、図２（ａ）に郵便物収容体と郵便物受容体の拡大概略図を、図２（ｂ）に郵便物収容体が郵便物受容体から離れた状態の拡大概略図をそれぞれ示す。図２（ｂ）に示されているように、郵便物収容体が一方の停止位置から離れた場合、屋外に設置された郵便物受容体の郵便物受け口９及び受取り口９Ａは、受け口カバー１９で閉じられる（覆われる）。すなわち、受け口カバー１９にはバネが取り付けられており、郵便物収容体２が一方の停止位置に位置すると、受け口カバー１９は郵便物収容体２によって横方向に押しやられて受け口９及び受取り口９Ａを開き、郵便物収容体２が一方の停止位置から離れるとバネの力によって戻り、郵便物受け口９及び受取り口９Ａを閉じる。
【００２０】
ここで、本発明の郵便物移動装置が、郵便物を収容する郵便物収容体と、一方の停止位置と他方の停止位置との間で郵便物収容体を移動させる移動手段とを備えているのであれば、必ずしも受け口カバーは取り付けられていなくてもよい。また、郵便物収容体が一方の停止位置に位置するときに受け口を開き、一方の停止位置から離れる受け口を閉じるのであれば、必ずしも受け口カバーは横方向に動くものでなくてもよく縦方向に動いてもよく、またバネを用いなくてもよい。
【００２１】
このように、本発明を適用した郵便物移動装置は、一方の停止位置と他方の停止位置との間で、郵便物を収容する郵便物収容体を移動させるので、例えば一方の停止位置を屋外とし、他方の停止位置を屋内として、これら停止位置の間で郵便物収容体を自由に往復させることができ、郵便物の受け取り、サイン済み伝票の渡し、支払い等のために、わざわざ居住者が屋外に出て行く必要がなくなる。また、郵便物収容体に郵便物は収容されるので郵便物に直接外力が加わりにくくなり、郵便物に過度な負荷をかけずに郵便物を移動させることができ、郵便物の変形及び破損を抑制できる。
【００２２】
また、郵便物収容体が、第１の開口部に通じた第１の収容領域と第２の開口部に通じた第２の収容領域とに区分けされており、一方の停止位置に郵便物収容体が位置する場合に、第１の収容領域内に収容された郵便物を支持する面と第１の開口部との間の距離が、支持する面に対向する面と第１の開口部との間の、指の長さ以下の距離よりも長いと共に指の長さよりも長いので、一方の停止位置を屋外として郵便物収容体に収容された郵便物が開口部から抜き取られることを抑制できる。
また、一方の停止位置に郵便物収容体が位置する場合と他方の停止位置に郵便物収容体が位置する場合とで、郵便物収容体の上下が逆転するよう郵便物収容体を移動させるので、支持する面に対して対向する面上に郵便物が載置され、例えば一方の停止位置を屋外として他方の停止位置を屋内とすると、屋外では開口部から指が郵便物に届きにくいので郵便物の抜き取りを抑制できると共に屋内では同じ開口部から郵便物に指が届くので郵便物を取出しやすくなる。
【００２３】
また、本発明を適用した郵便物移動装置は、郵便物収容体が通る通路が形成されていると共に一方の停止位置において郵便物を受ける受け口が形成された郵便物受容体を備え、郵便物受容体は、郵便物収容体が一方の停止位置に位置する場合に受け口を開くと共に郵便物収容体が一方の停止位置から離れた場合に受け口を閉じる受け口カバーを備えているので、郵便物受容体を門柱代わりに使用し、その中に郵便物収容体を通して外観を損なわないようにすることができるうえに、郵便物収容体が他方の停止位置に位置しているときに郵便物が受け口に投函されそうになっても受け口カバーによって投函を防止し、郵便物を郵便物収容体に確実に収容できる。
【図面の簡単な説明】
【００２４】
【図１】本発明を適用した郵便物移動装置の一例を示す概略図である。
【図２】郵便物収容体と郵便物受容体の拡大概略図（ａ）と、郵便物収容体が郵便物受容体から離れた状態の拡大概略図（ｂ）である。
【図３】従来の郵便物搬送装置の概略図である。
【符号の説明】
【００２５】
１    郵便物移動装置
２    郵便物収容体
３    第１の開口部
４    第２の開口部
５    第１の収容領域
６    第２の収容領域
７    第３の開口部
８    郵便物受容体
９    郵便物受け口
９Ａ  受取り口
１０    取出し口
１１    モータ
１２    ワイヤー
１３    収容体止め
１４    押圧部材
１５    ダクト
１６    取出しボックス
１７    壁
１８    蓋
１９    受け口カバー
２０    支持部材
【図１】
2007209697.tif 000003
【図２】
2007209697.tif 000004
【図３】
2007209697.tif 000005